(57)【要約】  コンバータ４を介して負荷３を駆動させるための装置１、２が、位相カット調光器５とコンバータ４とをインターフェースするための第１の回路１を備える。位相カット調光器５の点弧角度は、位相カット調光器５に提供される電圧信号の期間中の第１の時点と一致する。コンバータ４は、期間中の第２の時点から第３の時点まで第１の電流信号を引き込む。第２の回路２は、期間中の第４の時点から第５の時点まで第２の電流信号を引き込むようにコンバータ４を制御して、エネルギー効率を改善する。第１の電流信号は、電源６によって送達され得る。第２の電流信号は、第１の回路１の出力コンデンサ３２、３４、３５によって送達され得る。第３の時点は、適合可能でよい。第１、第２、及び第３の時点の１つ又は複数は、電圧信号のゼロ交差の前でよく、第４及び第５の時点の１つ又は複数は、ゼロ交差の後でよい。第１の回路１が、位相カット調光器５の第１及び第２の出力部に結合されるように構成された第１及び第２の入力部を有する整流器１１〜１４と、整流器１１〜１４に結合されたフィルタ３１〜３５とを備え、フィルタ３１〜３５は、１つ又は複数の出力コンデンサ３２、３４、３５を備える。第１の回路は、整流器１１〜１４の第１の出力部に結合された第１の電極、及びフィルタ３１〜３５に結合された第２の電極を有する第１のダイオード２１と、第１のダイオード２１の第１の電極及び整流器１１〜１４の第２の出力部に結合された主電流経路４１〜４３、並びに第１のダイオード２１の第２の電極及び整流器１１〜１４の第２の出力部に結合されたバイアス電流経路４４〜４７を有するブリーダ４１〜４７とを更に備える。ブリーダ４１〜４７を使用してブリーダ電流を引き出すことによって、位相カット調光器５から電流が引き出される時間間隔が延長され得る。
2016528690.tif 000002
【特許請求の範囲】
【請求項１】
コンバータを介して負荷を駆動させるための装置であって、
−位相カット調光器と前記コンバータとをインターフェースするための第１の回路を備え、前記位相カット調光器の点弧角度が、前記位相カット調光器に提供される電圧信号の期間中の第１の時点に一致し、前記コンバータが、前記電圧信号の期間中の第２の時点から第３の時点まで第１の電流信号を引き込み、前記第１の回路が、前記位相カット調光器の第１及び第２の出力部に結合される第１及び第２の入力部を有する整流器と、前記整流器に結合されたフィルタとを備え、前記フィルタが、１つ又は複数の出力コンデンサを備え、
前記装置が更に、
−前記電圧信号の期間中に第４の時点から第５の時点まで第２の電流信号を引き込むように前記コンバータを制御するための第２の回路を備え、前記第４の時点及び前記第５の時点が、前記第３の時点の後であり、
前記第１の回路が更に、
−前記整流器の前記第１の出力部に結合された第１の電極と、前記フィルタに結合された第２の電極とを有する第１のダイオードと、
前記第１のダイオードの前記第１の電極及び前記整流器の第２の出力部に結合された主電流経路、並びに前記第１のダイオードの前記第２の電極及び前記整流器の前記第２の出力部に結合されたバイアス電流経路を有するブリーダと
を備える、装置。
【請求項２】
前記第１の電流信号が、前記第１の回路及び前記位相カット調光器を介して電源から引き込まれ、前記第２の電流信号が、前記第１の回路の前記１つ又は複数の出力コンデンサから引き込まれる、請求項１に記載の装置。
【請求項３】
前記第３の時点が適合可能な時点であり、前記第２の回路が、前記第２の電流信号を介して伝達されるエネルギー量に依存して次の第３の時点を適合させる、請求項１に記載の装置。
【請求項４】
前記第２の回路が、前記第２の電流信号を介して伝達されるエネルギー量に依存して次の第３の時点を適合させるためのアダプタを備える、請求項１に記載の装置。
【請求項５】
前記第１の時点、前記第２の時点、及び前記第３の時点が、前記電圧信号のゼロ交差の前であり、前記第４の時点が、前記電圧信号のゼロ交差時、又はその後であり、前記第５の時点が、前記電圧信号のゼロ交差の後、次の点弧角度に一致する次の第１の時点の前である、請求項１に記載の装置。
【請求項６】
前記第２の回路が、ゼロ交差を推定するためのゼロ交差推定器と、前記ゼロ交差推定器からの推定結果に応答して前記コンバータを作動させるための作動器とを備える、請求項５に記載の装置。
【請求項７】
前記ブリーダの主電流経路が、第１の抵抗器と、トランジスタの主電極と、ブリーダ電流信号を規定するための電流源との直列接続を備え、前記バイアス電流経路が、第２の抵抗器と電圧規定素子との直列接続を備え、前記第２の抵抗器と前記電圧規定素子との共通点が、前記第２のダイオードを介して前記トランジスタの制御電極に結合され、前記トランジスタの前記制御電極が、バイアスコンデンサを介して前記整流器の第２の出力部に結合されている、請求項１に記載の装置。
【請求項８】
前記第１の回路が、前記第１のダイオードに並列に結合された抵抗器を備えず、又は前記第１の回路が、前記第１のダイオードに並列に結合された１００ｋΩよりも大きい値を有する第３の抵抗器を備える、請求項１に記載の装置。
【請求項９】
前記フィルタが更に、前記第１のダイオードの前記第２の電極に結合された第１の端子と、前記コンバータの前記第１の入力部に結合される第２の端子とを備えるインダクタを備え、前記第１のダイオードの前記第２の電極が、前記第１の出力コンデンサと、前記第４の抵抗器及び前記第２の出力コンデンサの直列接続との並列接続を介して、前記整流器の前記第２の出力部に結合され、前記インダクタの前記第２の端子が、前記第３の出力コンデンサを介して前記整流器の前記第２の出力部に結合され、前記整流器の前記第２の出力部が、前記コンバータの前記第２の入力部に結合される、請求項１に記載の装置。
【請求項１０】
前記第１の回路が更に、
−前記位相カット調光器の前記第１の出力部及び前記整流器の前記第１の入力部に結合される第１の直列ダンパ抵抗器、
−前記位相カット調光器の前記第２の出力部及び前記整流器の前記第２の入力部に結合される第２の直列ダンパ抵抗器、及び／又は
−前記整流器の前記第１の出力部及び前記第２の出力部に結合される電圧依存抵抗器を
備える、請求項１に記載の装置。
【請求項１１】
請求項１に記載の装置を備え、前記コンバータ及び／又は前記負荷を更に備える、第１の装置。
【請求項１２】
前記第３の時点が適合可能な時点であり、前記コンバータが、前記第２の電流信号を介して伝達されるエネルギー量に依存して次の第３の時点を適合させる、請求項１１に記載の装置。
【請求項１３】
請求項１に記載の装置を備え、前記位相カット調光器を更に備える、第２のデバイス。
【請求項１４】
位相カット調光器及びコンバータを介して負荷を駆動させるための方法であって、前記位相カット調光器の点弧角度が、前記位相カット調光器に提供される電圧信号の期間中の第１の時点に一致し、
前記コンバータが、前記電圧信号の期間中の第２の時点から第３の時点まで第１の回路を介して第１の電流信号を引き込む第１のステップを有する方法であって、
前記方法が更に、
前記電圧信号の期間中、前記第３の時点の後の第４の時点から第５の時点まで前記第１の回路を介して第２の電流信号を引き込むように、前記第２の回路によって前記コンバータを制御する第２のステップと、ブリーダによってブリーダ電流を引き出すことによって前記位相カット調光器から電流が引き出される時間間隔を延長する追加のステップとを含む、方法。
【発明の詳細な説明】
【技術分野】
【０００１】
本発明は、コンバータを介して負荷を駆動させるための装置に関する。更に、本発明は、第１及び第２のデバイス、並びに方法に関する。
【０００２】
そのようなデバイスの例は、コンバータ、負荷、及び位相カット調光器である。そのような負荷の例は、任意の種類及び任意の組合せの１つ又は複数の発光ダイオードを備えるライト回路である。
【背景技術】
【０００３】
米国特許出願公開第２０１３／００２１８２８Ａ１号が、電源での非散逸的ブリーディングのための通電時間延長を開示している。
【０００４】
米国特許出願公開第２０１１／０１９９０１７Ａ１号は、発光手段を駆動するための回路を開示する。回路は、調光器とコンバータとをインターフェースし、整流器及びコンデンサを備える。第１の時間間隔中には、第１の電流信号がコンバータに提供され、第２の時間間隔中には、第２の回路によって制御されて、第２の電流信号がコンバータに提供される。
【発明の概要】
【発明が解決しようとする課題】
【０００５】
本発明の目的は、改良された装置を提供することである。本発明の更なる目的は、改良されたデバイス及び改良された方法を提供することである。
【課題を解決するための手段】
【０００６】
第１の態様によれば、コンバータを介して負荷を駆動させるための装置であって、
−位相カット調光器とコンバータとをインターフェースするための第１の回路を備え、位相カット調光器の点弧角度が、位相カット調光器に提供される電圧信号の期間中の第１の時点に一致し、コンバータが、電圧信号の期間中の第２の時点から第３の時点まで第１の電流信号を引き込むように構成され、第１の回路が、位相カット調光器の第１及び第２の出力部に結合されるように構成された第１及び第２の入力部を有する整流器と、整流器に結合されたフィルタとを備え、フィルタが、１つ又は複数の出力コンデンサを備え、
装置が更に、
−電圧信号の期間中に第４の時点から第５の時点まで第２の電流信号を引き込むようにコンバータを制御するための第２の回路を備え、第４及び第５の時点が、第３の時点の後であり、
第１の回路が更に、
−整流器の第１の出力部に結合された第１の電極と、フィルタに結合された第２の電極とを有する第１のダイオードと、
第１のダイオードの第１の電極及び整流器の第２の出力部に結合された主電流経路、並びに第１のダイオードの第２の電極及び整流器の第２の出力部に結合されたバイアス電流経路を有するブリーダと
を備える装置が提供される。
【０００７】
第１の回路が、位相カット調光器とコンバータとをインターフェースする。位相カット調光器は、例えばサイリスタ調光器やトライアック調光器等を備える。コンバータは、例えばバックコンバータ、ブーストコンバータ、バック−ブーストコンバータ、フライバックコンバータ、又はスイッチモードコンバータ等を備える。位相カット調光器の点弧角度は、位相カット調光器の入力部に提供され、それらの入力部間に生じる電圧信号の期間中の第１の時点と一致する。点弧角度によって規定される第１の時点で、位相カット調光器は、電圧信号がゼロに交差するまで非導通状態から導通状態になる。コンバータは、電圧信号の期間中の第２の時点から第３の時点まで第１の電流信号を引き込むように構成される。第２の時点は、第１の時点にあるか、又は第１の時点の後にある。電圧信号の期間中、第３の時点の後の第４の時点から第５の時点まで第２の電流信号を引き込むようにコンバータを制御するための第２の回路を導入することによって、装置とコンバータとの組合せの効率は、位相カット調光器と組み合わせて使用されるときに改善され得る。そのような改善された効率は、大きな利点である。
【０００８】
特定の位相カット調光器は、電流信号が位相カット調光器を通って流れる時間間隔を延長するためのブリーダを必要とする。ブリーダの主電流経路を第１のダイオードの前に位置させ、ブリーダのバイアス電流経路を第１のダイオードの後に位置させることによって、第１のダイオードは、１つ又は複数の出力コンデンサがブリーダの主電流経路によって放電され得るのを防止する。その結果、１つ又は複数の出力コンデンサに貯蔵されているほとんどのエネルギーがコンバータに利用可能になり、第４の時点と第５の時点との間で使用され得る。ブリーダのバイアス電流経路によって消散されるエネルギー量は無視できる。
【０００９】
通常、第１〜第５の時点はそれぞれ、点弧角度又は第１の時点で開始されるとみなされる期間において、位相カット調光器に提供される電圧信号の期間中に２回生じる。通常、この電圧信号は、正の正弦半波と負の正弦半波とを含む正弦波形を有し、位相カット調光器の出力信号は、正の正弦半波の一部及び負の正弦半波の一部等を含む。
【００１０】
装置の一実施形態は、第１の回路が１つ又は複数の出力コンデンサを備え、第１の電流信号が、第１の回路及び位相カット調光器を介して電源から引き込まれ、第２の電流信号が、第１の回路の１つ又は複数の出力コンデンサから引き込まれることによって規定される。第１の回路の１つ又は複数の出力コンデンサから第２の電流信号を引き込むことによって、１つ又は複数の出力コンデンサに貯蔵されているエネルギー量が、前記効率を改善するために使用される。
【００１１】
装置の一実施形態は、第３の時点が適合可能な時点であり、第２の回路が、第２の電流信号を介して伝達されるエネルギー量に依存して次の第３の時点を適合させるように構成されることによって規定される。この場合、コンバータは、第２の時点と第３の時点との間の時間量を減少し、それにより、第１の電流信号を介して伝達されるエネルギー量を減少するように構成され、これは、上記の効率を改善する。
【００１２】
装置の一実施形態は、第３の時点が適合可能な時点であり、第２の回路が、第２の電流信号を介して伝達されるエネルギー量に依存して次の第３の時点を適合させるためのアダプタを備えることによって規定される。この場合、第２の回路は、第２の時点と第３の時点との間の時間量を減少し、それにより、第１の電流信号を介して伝達されるエネルギー量を減少するように構成されたアダプタを備え、これは、上記の効率を改善する。
【００１３】
装置の一実施形態は、第１、第２、及び第３の時点が、電圧信号のゼロ交差の前であり、第４の時点が、電圧信号のゼロ交差時、又はその後であり、第５の時点が、電圧信号のゼロ交差Ｚの後、次の点弧角度Ｆに一致する次の第１の時点の前であることによって規定される。電圧信号のゼロ交差前、第２の時点と第３の時点との間に、コンバータは、電源から第１の電流信号を引き込む。ゼロ交差後、第４の時点と第５の時点との間に、コンバータは、第１の回路の１つ又は複数の出力コンデンサから第２の電流信号を引き込む。ゼロ交差は、明瞭な境界線である：ゼロ交差までは、電源は第１の電流信号を送達することができ、ゼロ交差後は、次の点弧角度がまだ生じていないため位相カット調光器が依然として非導通状態であるので、電源は第１の電流信号を送達できず、１つ又は複数の出力コンデンサによって第２の電流信号が送達される。
【００１４】
装置の一実施形態は、第２の回路が、ゼロ交差を推定するためのゼロ交差推定器と、ゼロ交差推定器からの推定結果に応答してコンバータを作動させるための作動器とを備えることによって規定される。ゼロ交差推定器は、ゼロ交差を推定し、作動器は、推定器からの推定結果に応答してコンバータを作動させる。
【００１５】
例えば整流器ブリッジ等の整流器は、例えば４つのダイオードを備えることができるが、他の整流器も除外しない。フィルタは、１つ又は複数の出力コンデンサを備えることができ、第１のダイオードは、整流器付近に存在する回路によって１つ又は複数の出力コンデンサが放電され得るのを防止することができる。その結果、１つ又は複数の出力コンデンサに貯蔵されている全てのエネルギーがコンバータに利用可能になり、第４の時点と第５の時点との間で使用され得る。
【００１６】
装置の一実施形態は、ブリーダの主電流経路が、第１の抵抗器と、トランジスタの主電極と、ブリーダ電流信号を規定するための電流源との直列接続を備え、バイアス電流経路が、第２の抵抗器と電圧規定素子との直列接続を備え、第２の抵抗器と電圧規定素子との共通点が、第２のダイオードを介してトランジスタの制御電極に結合され、トランジスタの制御電極が、バイアスコンデンサを介して整流器の第２の出力部に結合されることによって規定される。トランジスタは、１つのトランジスタを含むことがあり、又は２つ以上のトランジスタの組合せを含むこともある。これは、単純で低コストの実施形態であり、ブリーダの各素子が、全ての他の素子から独立して見られ得ることに留意されたい。
【００１７】
装置の一実施形態は、第１の回路が、第１のダイオードに並列に結合された抵抗器を備えず、又は第１の回路が、第１のダイオードに並列に結合された１００ｋΩよりも大きい値を有する第３の抵抗器を備えることによって規定される。存在する場合、第３の抵抗器の値は、好ましくは５００ｋΩよりも大きく選択され得て、より好ましくは１ＭΩよりも大きく選択され得る。
【００１８】
装置の一実施形態は、フィルタが更に、第１のダイオードの第２の電極に結合された第１の端子と、コンバータの第１の入力部に結合されるように構成された第２の端子とを備えるインダクタを備え、第１のダイオードの第２の電極が、第１の出力コンデンサと、第４の抵抗器及び第２の出力コンデンサの直列接続との並列接続を介して、整流器の第２の出力部に結合され、インダクタの第２の端子が、第３の出力コンデンサを介して整流器の第２の出力部に結合され、整流器の第２の出力部が、コンバータの第２の入力部に結合されるように構成されることによって規定される。フィルタは、２つの機能を有し、即ち、第１に、１つ又は複数の出力コンデンサにエネルギーを貯蔵する機能を有し、第２に、電磁干渉を減少させる機能を有する。これは、単純で低コストの実施形態であり、フィルタの各素子が、全ての他の素子から独立して見られ得ることに留意されたい。
【００１９】
装置の一実施形態は、第１の回路が更に、
−位相カット調光器の第１の出力部及び整流器の第１の入力部に結合されるように構成された第１の直列ダンパ抵抗器、
−位相カット調光器の第２の出力部及び整流器の第２の入力部に結合されるように構成された第２の直列ダンパ抵抗器、及び／又は
−整流器の第１及び第２の出力部に結合されるように構成された電圧依存抵抗器を
備えることによって規定される。
【００２０】
直列ダンパ抵抗器は、直列ダンピングを提供し、電圧依存抵抗器は、過渡電圧に対する保護を提供する。代替のダンピング解決策及び代替の保護解決策も除外されない。
【００２１】
第２の態様によれば、上で規定された装置を備え、コンバータ及び／又は負荷を更に備える第１の装置が提供される。更に、装置の１つ若しくは複数の部分又は装置全体が、コンバータ内及び／又は負荷内に位置され得る。第１のデバイスの実施形態は、装置の実施形態に対応する。
【００２２】
第３の態様によれば、上で規定された装置を備え、位相カット調光器を更に備える第２のデバイスが提供される。更に、装置の１つ若しくは複数の部分又は装置全体が、位相カット調光器内に位置され得る。第２のデバイスの実施形態は、装置の実施形態に対応する。
【００２３】
第４の態様によれば、位相カット調光器及びコンバータを介して負荷を駆動させるための方法であって、位相カット調光器の点弧角度が、位相カット調光器に提供される電圧信号の期間中の第１の時点に一致し、第１のステップにおいて、コンバータが、電圧信号の期間中の第２の時点から第３の時点まで第１の回路を介して第１の電流信号を引き込むように構成され、方法が更に、電圧信号の期間中、第３の時点の後の第４の時点から第５の時点まで第１の回路を介して第２の電流信号を引き込むように、第２の回路によってコンバータを制御する第２のステップと、ブリーダによってブリーダ電流を引き出すことによって位相カット調光器から電流が引き出される時間間隔を延長する追加のステップとを含む方法が提供される。
【００２４】
第１のダイオード及びブリーダを提供することによって、ブリーダの主電流経路によって１つ又は複数の出力コンデンサが放電され得るのを第１のダイオードが防止すると考えられる。その結果、１つ又は複数の出力コンデンサに貯蔵されているほとんどのエネルギーがコンバータに利用可能になり、第４の時点と第５の時点との間で使用され得る。ブリーダのバイアス電流経路によって消散されるエネルギー量は無視できる。
【００２５】
改良された装置を提供するという問題が解決されている。更なる利点は、エネルギーがより効率的に使用され得ることであり、これは非常に重要である。
【００２６】
本発明のこれら及び他の態様は、本明細書で後述される実施形態を参照すれば明瞭になり、解明されよう。
【図面の簡単な説明】
【００２７】
【図１】装置の一実施形態を示す図である。
【図２】波形を示す図である。
【図３】概要を示す図である。
【発明を実施するための形態】
【００２８】
図１に、位相カット調光器５及びコンバータ４に結合された装置１、２の実施形態が示されている。装置１、２の第１の回路１において、位相カット調光器５の第１及び第２の出力部が、第１及び第２の直列ダンパ抵抗器５１、５２を介して整流器１１〜１４の第１及び第２の入力部に結合される。整流器１１〜１４は、ここでは、例えば整流器ブリッジ内に４つのダイオード１１〜１４を備える。整流器１１〜１４の第１の出力部は、ダイオード２１のアノードに結合される。ダイオード２１のカソードは、インダクタ３１の第１の端子に結合され、インダクタ３１の第２の端子は、コンバータ４の第１の入力部に結合される。
【００２９】
整流器１１〜１４の第１の出力部は、電圧依存抵抗器５３を介して整流器１１〜１４の第２の出力部に結合される。更に、整流器１１〜１４の第１の出力部は、ブリーダ４１〜４７の主電流経路４１〜４３を介して整流器１１〜１４の第２の出力部に結合される。主電流経路４１〜４３は、抵抗器４１と、トランジスタ４２の主電極と、ブリーダ電流信号を規定するための電流源４３との直列接続を備える。更に、ダイオード２１のカソードは、ブリーダ４１〜４７のバイアス電流経路４４〜４７を介して整流器１１〜１４の第２の出力部に結合される。バイアス電流経路４４〜４７は、抵抗器４４と、例えばツェナーダイオード等の電圧規定素子４５との直列接続を備える。この直列接続の共通点が、ダイオード４６を介してトランジスタ４２の制御電極に結合される。更に、この制御電極は、コンデンサ４７を介して整流器１１〜１４の第２の出力部に結合される。更に、ダイオード２１のカソードは、コンデンサ３２と、抵抗器３３及びコンデンサ３４を備える直列接続との並列接続を介して、整流器１１〜１４の第２の出力部に結合される。更に、インダクタ３１の第２の端子は、コンデンサ３５を介して整流器１１〜１４の第２の出力部に結合され、更に、この第２の出力部は、コンバータ４の第２の入力部に結合される。素子３１〜３５が、フィルタ３１〜３５を形成する。
【００３０】
装置１、２は、第２の回路２を備え、第２の回路２は、アダプタ６１と、整流器１１〜１４の入力部の１つ若しくは複数又は出力部の１つ若しくは複数に結合されるべき１つ又は複数の入力部を有するゼロ交差推定器６２、及び／又は位相カット調光器５の入力部の１つ若しくは複数又は出力部の１つ若しくは複数に結合されるべき１つ又は複数の入力部を有するゼロ交差推定器６３と、コンバータ４の１つ又は複数の制御入力部に結合されるべき１つ又は複数の出力部を有する作動器６４と、記憶媒体６５とを備える。各ユニット６１〜６５は、制御装置６６に結合される。代替として、制御装置６６は、一部若しくは全体をユニット６１〜６５の１つ若しくは複数に組み込まれ得て、又はユニット６１〜６５の１つ若しくは複数は、一部若しくは全体を制御装置６６に組み込まれ得る。
【００３１】
図２に波形が示されている。上側のグラフには、電圧信号Ｕｉｎが時間Ｔに対して示されている。電圧信号Ｕｉｎは、位相カット調光器５の入力部に提供され、それらの入力部間に生じる。位相カット調光器５は、点弧角度Ｆで点弧されるとみなされる。電圧信号Ｕｉｎは、点弧角度Ｆのしばらく後に、ゼロ交差Ｚを示す。下側のグラフには、電圧信号Ｕｏｕｔが時間Ｔに対して示されている。電圧信号Ｕｏｕｔは、コンデンサ３２又は３５の両端間に生じる。明らかに、位相カット調光器５が点弧角度Ｆからゼロ交差Ｚまで導通状態であるので、この電圧信号Ｕｏｕｔは、点弧角度Ｆからゼロ交差Ｚまでゼロでない。以下に論じるように、この電圧信号Ｕｏｕｔは、ゼロ交差Ｚ後の後続の時間間隔中も引き続きゼロにならない。下側のグラフには、更に、第１の電流信号Ｉ１と第２の電流信号Ｉ２とが示されている。
【００３２】
位相カット調光器５の点弧角度Ｆが電圧信号Ｕｉｎの期間中の第１の時点Ｔ１と一致するとみなされる従来技術では、コンバータ４は、図２の下側のグラフに示されるように、電圧信号Ｕｉｎの期間中の第２の時点Ｔ２から第３の時点Ｔ３まで第１の電流信号Ｉ１を引き込む。第２の時点Ｔ２は、第１の時点Ｔ１であるか、又は第１の時点Ｔ１の後である。第３の時点Ｔ３は、第２の時点Ｔ２の後である。ゼロ交差Ｚの後、次の点弧角度Ｆまでは位相カット調光器５は非導通状態であり、ゼロ交差Ｚから次の点弧角度Ｆまではエネルギーが位相カット調光器５を介してコンバータ４に供給され得ない。しかし、エネルギーは、第１の回路１内に依然として存在し得る。残念ながら、第１の回路１内に依然として存在するこのエネルギーは、この従来技術の構成では非常に効率的には使用されない。
【００３３】
本発明によれば、第２の回路２が、電圧信号Ｕｉｎの期間中の第４の時点Ｔ４から第５の時点Ｔ５まで第２の電流信号Ｉ２を引き込むようにコンバータ４を制御する。図２の下側のグラフに示されるように、これらの第４の時点Ｔ４及び第５の時点Ｔ５は、第３の時点Ｔ３の後である。その結果、第１の回路１内に依然として存在するエネルギーは、例えば、ゼロ交差Ｚから次の点弧角度Ｆまで使用され得て、これは、装置１、２とコンバータ４の組合せのエネルギー効率の大幅な改善である。
【００３４】
第３の時点Ｔ３で、コンバータ４は、第１の電流信号Ｉ１を引き込むのを止める。第３の時点Ｔ３から第４の時点Ｔ４までは、出力コンデンサ３２、３４、３５がそれらの充電を維持しているので、電圧信号Ｕｏｕｔは、その値を実質的に保つ。第４の時点Ｔ４から第５の時点Ｔ５までは、出力コンデンサ３２、３４、３５が放電されているので、電圧信号Ｕｏｕｔは、（コンバータ４が比較的一定の電流信号を引き込んでいる例示的な場合には）実質的に線形にゼロまで減少する。
【００３５】
好ましくは、例えば１つ又は複数の出力コンデンサ３２、３４、３５を備える第１の回路１に関して、第１の電流信号Ｉ１は、図３に示される電源６から第１の回路１及び位相カット調光器５を介して引き込まれ得て、第２の電流信号Ｉ２は、第１の回路１の１つ又は複数の出力コンデンサ３２、３４、３５から引き込まれ得る。
【００３６】
好ましくは、第３の時点Ｔ３は適合可能な時点でよく、その際、コンバータ４は、第２の電流信号Ｉ２によって伝達されるエネルギーの量に応じて次の第３の時点を適合させるように構成され得る。即ち、位相カット調光器５を介して供給される第１のエネルギー量は、ゼロ交差Ｚと次の点弧角度Ｆとの間に取り出される第２のエネルギー量を補償するように減少され得る。
【００３７】
好ましくは、第３の時点Ｔ３は適合可能な時点でよく、その際、第２の回路２は、第２の電流信号Ｉ２によって伝達されるエネルギーの量に応じて次の第３の時点を適合させるためのアダプタ６１を備えることができる。即ち、位相カット調光器５を介して供給される第１のエネルギー量は、ゼロ交差Ｚから次の点弧角度Ｆまでに取り出される第２のエネルギー量を補償するように減少され得る。その際、アダプタ６１は、計算機を備えることができ、その際、記憶媒体６５と通信することができる。記憶媒体６５は、時点（の規定又は表現）、ゼロ交差（の規定又は表現）、点弧角度（の規定又は表現）、及び計算結果（の規定又は表現）等を記憶することができる。
【００３８】
通常、第１、第２、及び第３の時点Ｔ１、Ｔ２、及びＴ３は、電圧信号Ｕｉｎのゼロ交差Ｚの前でよく、第４の時点Ｔ４は、電圧信号Ｕｉｎのゼロ交差Ｚの時点、又はその後でよく、第５の時点Ｔ５は、電圧信号Ｕｉｎのゼロ交差Ｚの後、次の点弧角度Ｆに一致する次の第１の時点の前でよい。そのようなゼロ交差Ｚは、推定又は検出が比較的容易であり、良好な参照点を成す。その際、第２の回路２は、ゼロ交差Ｚを推定するためのゼロ交差推定器６２及び／又は６３と、推定器６２及び／又は６３からの推定結果に応答して第２の電流信号Ｉ２を引き込むようにコンバータ４を作動させるための作動器６４とを備えることができる。
【００３９】
第１の時点Ｔ１と第２の時点Ｔ２との間の時間量は、通常、第１の回路１の特性によって、コンバータ４の特性によって、及び／又はコンバータ４によって規定される。第３の時点Ｔ３は、第２の回路２及び／又はコンバータ４によって規定される。第４の時点Ｔ４は、第２の回路２によって規定される。第５の時点Ｔ５は、第２の回路２によって、コンバータ４によって、又は、出力コンデンサ３２、３４、及び／又は３５に存在する全てのエネルギーが使用されたことによって規定される。
【００４０】
図３に概要が示されている。商用電力供給や電力源等の電源６が、位相カット調光器５の入力部に結合される。例えばライト回路を備える負荷３が、コンバータ４の出力部に結合される。第１の回路１は、位相カット調光器５とコンバータ４とをインターフェースする。第２の回路２は、第１の回路１及び／又は位相カット調光器５との通信に応答してコンバータ４を制御する。
【００４１】
第１の素子と第２の素子は、間に第３の素子を有さずに直接結合され得て、又は第３の素子を介して間接的に結合され得る。推定は、比較的粗い推定、又は比較的精密な推定若しくは検出を含むことがある。図１に示される第１の回路１及び第２の回路２の内容は、例示にすぎない。
【００４２】
要約すると、コンバータ４を介して負荷３を駆動させるための装置１、２は、位相カット調光器５とコンバータ４とをインターフェースするための第１の回路１を備える。位相カット調光器５の点弧角度は、位相カット調光器５に提供される電圧信号の期間中の第１の時点と一致する。コンバータ４は、期間中の第２の時点から第３の時点まで第１の電流信号を引き込む。第２の回路２は、期間中の第４の時点から第５の時点まで第２の電流信号を引き込むようにコンバータ４を制御して、エネルギー効率を改善する。第１の電流信号は、電源６によって送達され得る。第２の電流信号は、第１の回路１の出力コンデンサ３２、３４、３５によって送達され得る。第３の時点は、適合可能でよい。第１、第２、及び第３の時点の１つ又は複数は、電圧信号のゼロ交差の前でよく、第４及び第５の時点の１つ又は複数は、ゼロ交差の後でよい。
【００４３】
本発明を、図面及び上記の説明で詳細に例示して述べてきたが、そのような例示及び説明は、例示的又は例説的なものであり、限定的なものとみなされるべきではない。本発明は、開示される実施形態に限定されない。開示される実施形態に対する他の変形形態は、図面、本開示、及び添付の特許請求の範囲を検討すれば、当業者によって理解され得て、特許請求される発明を実践する際に実施され得る。特許請求の範囲において、用語「備える」は、他の要素又はステップを除外せず、単数詞は、複数を除外しない。特定の手段が相互に異なる従属請求項に記載されていることだけでは、これらの手段の組合せが有利に使用され得ないことを示さない。特許請求の範囲内の任意の参照符号は、範囲を限定するものとみなされるべきではない。
【図１】
2016528690.tif 000003
【図２】
2016528690.tif 000004
【図３】
2016528690.tif 000005
【国際調査報告】
2016528690.tif 000006
2016528690.tif 000007